(57)【要約】      （修正有）【課題】座った姿勢で排泄可能な介護ベッドを提供する。【解決手段】座った姿勢で排泄可能な介護ベッド３００は、ベッドフレーム１０に内設される省力化駆動装置９０と、省力化駆動装置９０の上方に設置されるベッドボード装置１００と、省力化駆動装置９０とベッドボード装置１００との間に設置される排泄装置２００とを備える。また、省力化駆動装置９０は第一動力出力軸により駆動機構５０を連動させ、駆動機構５０により第一押上ロッド６０及び第二押上ロッド７０がそれぞれ駆動され、第一押上ロッド６０により背部可動支持部材２０が連動されて傾斜角度をつけ、第二押上ロッド７０により脚部可動支持部材３０が同期して連動されて下方に降下する。本考案は梃子の原理で構成される駆動装置９０を介護ベッドに使用するもので、省力特性及び操作上の利便性を有する。これにより、患者がベッドに寝た状態から座った姿勢に移行し、そのままの状態で直接排泄でき、患者が自分自身で排泄処理することが可能となる。【選択図】図２Ｂ
0003216660.tif 000002
【実用新案登録請求の範囲】
【請求項１】
外フレーム及び前記外フレームの間に連結される複数のブラケットで構成され、長手方向は横方向と、短手方向は縦方向とそれぞれ定義される矩形体の介護ベッドのベッドフレームと、
前記ベッドフレームに内設される省力化駆動装置と、
前記省力化駆動装置の上方に設置されるベッドボード装置と、
前記省力化駆動装置と前記ベッドボード装置との間に設置される排泄装置と、
前記ベッドフレームの前側の前記外フレームに設置される駆動機構と、
第一押上ロッドと、
第二押上ロッドと、を備え、
前記省力化駆動装置は、
底部が第一縦シャフトに連結される背部ブラケットを有し、前記第一縦シャフトには第一クランクが設置され、両側が第一シャフトシートにより前記ベッドフレームの前記外フレームの間に枢設される背部可動支持部材と、
底部が第二縦シャフトに連結される平行する２本の横リンクロッドを有し、前記第二縦シャフトには第二クランクが設置され、両側が第二シャフトシートにより前記ベッドフレームの前記ブラケットに枢設され、且つ前記横リンクロッドの中間位置は回転可能なピボット部として設けられ、また、前記横リンクロッドは前記ピボット部の外側に複数の縦方向支持棒が設置される脚部可動支持部材と、
前記ベッドフレームの前記外フレームに設置される制御機構と、を更に備え、
前記制御機構は、
（１ａ）一端が第三シャフトシートを貫通させ、且つ第一受動輪が設置される第一動力出力軸と、
（１ｂ）第一パイプに設置されると共に角度をつけて回転を行い、且つ第四シャフトシートに設置される第一駆動輪を連動させ、前記第一駆動輪は前記第一受動輪に相互に噛合される第一ハンドクランクであって、前記第一ハンドクランクの回転により前記第一動力出力軸が連動されて回転を行うことと、
（１ｃ）プレートにより前記外フレームに固定され、回転軸には第二駆動輪が設置されるモーターと、
（１ｄ）前記外フレームに設置され、前記第二駆動輪に相互に噛合される第二受動輪が設置される第二動力出力軸であって、前記第二動力出力軸は前記第一動力出力軸に対応するように同軸線上に位置されることと、
（１ｅ）前記第一動力出力軸と前記第二動力出力軸との間に軸方向に設置され、前記第一動力出力軸の端部に覆設される第一ケーシング及び第一バネを含み、且つ前記第一ケーシングは前記第一動力出力軸上で滑動を行い、前記第一ケーシングは前記第一バネとは反対にある他端に凹凸表面を有する第一接合用ケーシングが設置され、また、第二接合用ケーシングは前記第二動力出力軸の端部に連結され、且つ前記第一接合用ケーシングに相互に係合されると共に軸方向に分離状態を呈する第一クラッチと、
（１ｆ）前記第一クラッチの上方に設置され、前記第一ケーシングの上方に対してノブが設置され、前記ノブが回されることにより前記第一ケーシングが軸方向に移動し、前記第一接合用ケーシング及び前記第二接合用ケーシングが相互に係合または分離状態を呈するように制御されるパネルと、
（１ｇ）第三駆動輪が設置され、且つ前記第三駆動輪は傘型歯車であり、縦軸の上端に設置されると共に前記第三駆動輪に噛合される第三受動輪は傘型歯車であり、前記縦軸の底端に設置される第四駆動輪は傘型歯車である前記第一動力出力軸の他端が貫通させる前記第四シャフトシートとを更に含み、
前記駆動機構は、
（２ａ）一端が第五シャフトシートを貫通させ、且つ第四受動輪が設置され、前記第四駆動輪に噛合される前記第四受動輪は傘型歯車であり、他端が第六シャフトシートを貫通させる第一駆動ロッドと、
（２ｂ）前記第一駆動ロッドにより前記第一駆動ロッドと同軸方向に駆動され、一端が第七シャフトシートを貫通させ、他端が第八シャフトシートを貫通させる第二駆動ロッドと、
（２ｃ）前記第一駆動ロッドに設置され、前記第一駆動ロッドが貫通させる第一台座を含み、且つ前記第一駆動ロッドは前記第一台座に第五駆動輪が内設され、前記第一台座には前記第一駆動ロッドに対して垂直になる第九シャフトシートが内設される第一駆動部と、
（２ｄ）前記第一駆動ロッドと前記第二駆動ロッドとの間に軸方向に設置され、前記第一駆動ロッド及び前記第二駆動ロッドが軸方向に結合されて連動するように制御させるか、或いは軸方向に分離状態を呈するように制御させるために用いられる第二クラッチであって、前記第二クラッチは前記第一駆動ロッドの端部に連結される第三接合用ケーシングと、前記第二駆動ロッドの端部に覆設され、且つ前記第二駆動ロッド上で滑動を行う第二ケーシングと、前記第二ケーシングの端部に連結され、且つ前記第三接合用ケーシングに相互に係合されると共に軸方向に分離状態を呈する第四接合用ケーシングと、前記第二ケーシングに連結されるスライダーと、一端が前記第七シャフトシートの側辺に固定され、且つコアが前記第七シャフトシートから延出されて前記スライダーに連結されるガイドロープと、前記コアに覆設され、且つ前記スライダー及び前記第二ケーシングに対する軸方向の推力を有し、前記第四接合用ケーシング及び前記第三接合用ケーシングが相互に係合されると共に軸方向に分離状態を呈するように制御される第二バネとを含むことと、
（２ｅ）前記第二駆動ロッドに設置され、前記第二駆動ロッドが貫通させる第二台座を有すると共に、前記第二駆動ロッドは前記第二台座に第六駆動輪が内設され、前記第二台座には前記第二駆動ロッドに対して垂直になる第十シャフトシートが内設される第二駆動部と、
（２ｆ）前記コアは操作レバーの底端に連結され、前記操作レバーにより前記コアが引っ張られ、前記第四接合用ケーシング及び前記第三接合用ケーシングが相互に係合されると共に軸方向に分離状態を呈するように制御される前記ガイドロープの他端が連結される位置決めブロックとを更に備え、
前記第一押上ロッドは、前記第一駆動ロッドにより駆動され、前記第一押上ロッドの末端は前記背部可動支持部材の前記第一クランクに枢着され、前端には第一スレッドが内設され、第一スクリューは一部分が前記第一押上ロッドに進入させて螺合状態を呈し、他の部分は前記第一駆動部の前記第一シャフトシートを貫通させ、且つ端部には前記第五駆動輪に相互に噛合される第五受動輪が設置され、前記第五駆動輪により前記第五受動輪が連動され、前記第一スクリューが駆動されて回転を行うことにより前記第一押上ロッドが線形移動を行い、前記背部可動支持部材が平らに横置される状態または傾斜角度をつけて起き上がった状態を呈するように連動され、
前記第二押上ロッドは、前記第二駆動ロッドにより連動され、前記第二押上ロッドの末端は前記脚部可動支持部材の前記第二クランクに枢着され、前端には第二スレッドが内設され、第二スクリューは一部分が前記第二押上ロッドに進入させて螺合状態を呈し、他の部分は前記第二駆動部の前記第二シャフトシートを貫通させ、且つ端部には前記第六駆動輪に相互に噛合される第六受動輪が設置され、前記第六駆動輪により前記第六受動輪が連動され、前記第二スクリューが駆動されて回転を行うことにより前記第二押上ロッドが線形移動を行い、前記脚部可動支持部材が平らに横置される状態または下方に降下する状態を呈するように連動され、
また、前記ベッドボード装置は、
前記背部可動支持部材に設置される少なくとも１つの背部マットと、
前記ベッドフレームに設置されるマットレスであって、前記マットレスの中間部は人体の臀部に適合する位置に排出口が設けられ、前記マットレスの前記排出口は前に向けて開口されるＵ字体を呈し、且つ前記マットレスは前記Ｕ字体の後側の中央線の位置に分割用スロットが形成されることと、
前記排出口の形状に適合するカバーであって、前記カバーは分離状態を呈して前記排出口内に設置され、前記カバーが平坦状を呈し、且つ排泄時には取り外されることと、
前記マットレスの中間箇所に位置されると共に前記脚部可動支持部材に設置されて前記脚部可動支持部材に追随して降下する複数の可動脚付きマットレスとを更に具備し、
前記排泄装置は前記マットレスの前記排出口の下方に位置され、排泄物を受け取るために使用され、前記ベッドフレームは前記排出口の底部の両側に左右に対向し合う２つの滑溝が設けられ、前記排泄装置は、
両側には前記滑溝に対する位置に前から後に向けて前記滑溝に嵌入されるフランジ体が形成され、前記排出口の下方に位置され、排泄物を受け取るために使用される排泄物受容器と、
前記ベッドフレームの底辺に設置される洗浄装置と、を更に含み、
前記洗浄装置は、
前記ベッドフレームに設置されると共に前記排出口の後側に位置され、且つ前記排出口に向けられるスプレーヘッドと、
前記ベッドフレームに分離可能に掛着され、上方にはプレスヘッドが設置され、吐水口には水管に連結させるためのジョイントが設置され、前記水管の他端は前記スプレーヘッドに連結され、前記プレスヘッドが下に押されると、水が前記スプレーヘッドに送水される蓄水ボトルとをさらに備え、
これにより、前記制御機構の前記第一クラッチは手動方式または電動方式が選択され、動力出力軸が回転を行うことにより前記第一駆動ロッドが連動されて回転を行い、前記第一押上ロッドが駆動されて線形移動を行い、前記背部可動支持部材が平らに横置される状態または傾斜角度をつけて起き上がった状態を呈するように連動され、また、前記第二クラッチにより前記第二駆動ロッド及び前記第一駆動ロッドが軸方向に結合されて連動するように制御されるか、或いは軸方向に分離状態を呈するように制御され、前記脚部可動支持部材が平らに横置される状態または下方に降下する状態を呈するように制御され、前記動力出力軸により前記背部可動支持部材及び前記脚部可動支持部材が同期して連動した動作を行うことを特徴とする座った姿勢で排泄可能な介護ベッド。
【請求項２】
前記ベッドフレームに縦方向に設置され、且つ前記背部可動支持部材の位置に近接させる寝返り支持機構を更に備え、前記寝返り支持機構は、
第三スレッドが内設される第三押上ロッドと、
前記第三押上ロッドに進入させて螺合状態を呈し、且つ一部分が前記第三押上ロッドから延出される第三スクリューと、
両側が第十一シャフトシートにより前記ベッドフレームの前記ブラケットに枢設される横ロッドと、
前記横ロッドに垂直に設置されると共に前記横ロッドにより連動され、左または右に向けて傾動を行い、且つ複数の案内輪が設置される縦ロッドと、
第二パイプに設置されると共に３６０度回転可能であり、且つ前記第三押上ロッド内の前記第三スクリューに設置されると共に前記第三スクリューを連動させて回転を行わせ、且つ前記第三押上ロッドに対して線形移動を行う第二ハンドクランクと、
上端が前記横ロッドに固定され、底端が前記第三スクリューの外端部に枢着されると共に前記第三スクリューにより制動され、前記横ロッドの回転を制御させるために用いられ、前記縦ロッドが傾動を行うように制御させる第三クランクとを含むことを特徴とする請求項１に記載の座った姿勢で排泄可能な介護ベッド。
【請求項３】
前記操作レバーの中間位置はシャフトボルトが縦方向に貫通させ、前記操作レバーが前記シャフトボルトを軸心として前後に傾動を行うことにより前記コアが引っ張られ、係合状態または軸方向に分離状態を呈するように前記第二クラッチが制御され、また、位置決めプレートは前記ベッドフレームの前記外フレームの表面に固定され、前記位置決めプレートには前記操作レバーの上端部を突出させるためのＬ字型溝が設けられ、且つ前記Ｌ字型溝内で移動または定位を行うことを特徴とする請求項１に記載の座った姿勢で排泄可能な介護ベッド。
【請求項４】
前記排泄装置はグリップ部と、前記グリップ部から前に向けて延伸される上部ポールと、前記上部ポールの前端に設置される挟着部と、前記グリップ部から前に向けて延伸されると共に前記上部ポールの底部に平行するように位置される下部ポールとを含む拭き取り装置を更に備え、前記下部ポールの自由端は前記ベッドフレームのカラーを貫通させ、前記上部ポール及び前記挟着部が前記排出口中で前記下部ポールにより前記カラー上で線形移動を行い、前記拭き取り装置は前記挟着部によりトイレットペーパーを挟着させ、前後移動を行うことにより使用者の臀部の拭き取りを行うことを特徴とする請求項１に記載の座った姿勢で排泄可能な介護ベッド。
【考案の詳細な説明】
【技術分野】
【０００１】
本考案は、座った姿勢で排泄可能な介護ベッドに関する。
【背景技術】
【０００２】
台湾では高齢化が進行するにつれて様々な老年性疾病も増加の一途をたどり、身体が不自由な者、卒中や脳の病変を患った者、中枢神経に損傷を負った者、麻痺のある者、長期間病床に臥せった者等は身体の自由が効かないため長期間介護ベッドの上で過ごすことが多い。このため、患者の移動には家族や看護者による骨の折れる補助が必要であり、家族や看護者、及び患者にとっても負担となっている。
また、患者は家族や看護者の補助がなければ排泄物の処理や身体を洗う等ができないため、これは患者にとって尊厳が失われるばかりか極めて大きな心理的負担をもたらす深刻な問題である。
【０００３】
特許文献１に記載されている『電動介護ベッド』は、ベッドフレーム１と、ベッドフレームに設置される背部可動ボード１３１と、中間ベッドボード１３２と、脚部可動ボード１３３と、中間ベッドボード１３２に設けられる排泄用穴１３２ａ（図１Ａ及び図１Ｂ参照）と、を備える。
患者がベッド上で直接排便を行えるようにするため、背部可動ボード１３１及び脚部可動ボード１３３の底部には駆動部材１３１ａ、１３３ａがそれぞれ装設され、これらにより持ち上げられて図１Ｂに示す状態となる。
【先行技術文献】
【特許文献】
【０００４】
【特許文献１】中国特許第１０１９１２３３２Ａ号公報
【考案の概要】
【考案が解決しようとする課題】
【０００５】
従来の介護ベッドに使用される駆動部材１３１ａ、１３３ａの多くは空気圧シリンダーにより直接駆動される方式であるが、このような駆動部材１３１ａ、１３３ａはベッドフレーム１の下方に設置されて直接駆動方式により背部可動ボード１３１及び脚部可動ボード１３３を持ち上げるため、強い力が必要であり、制動能力も小さすぎてはいけない。このため、電力消費量が多い。
また、駆動部材１３３ａが脚部可動ボード１３３の底部に設置されるため、脚部可動ボード１３３が上に向けて持ち上げられるのみで下方に降下することがなく、図１Ｂに示すような使用形態では、患者は排泄用穴１３２ａを利用して排泄を行う場合、腿を持ち上げねばならない。このような姿勢は適当ではなく、また快適とも言えず、改善の余地がある。
【０００６】
そこで、本考案者は上記の欠点を改善するため、鋭意検討を重ねた結果、合理的設計で上記の課題を効果的に改善する本考案を提案するに到った。
【０００７】
本考案は、以上の従来技術の課題を解決する為になされたものである。即ち、本考案の目的は、座った姿勢で排泄可能な介護ベッドを提供することにある。すなわち、患者がベッドに寝た状態から座った姿勢に移行し、そのままの状態で直接排泄できるため、患者の排泄の利便性が向上し、介助がなくとも患者が自分自身で排泄処理することが可能となる。
【０００８】
本考案の他の目的は、座った姿勢で排泄可能な介護ベッドを提供することにある。また、手動でも電動でも操作可能となる二重の効果を有する。
【課題を解決するための手段】
【０００９】
上述した課題を解決し、目的を達成するために、本考案に係る座った姿勢で排泄可能な介護ベッドは、
外フレーム及び外フレームの間に連結される複数のブラケットで構成され、長手方向は横方向と、短手方向は縦方向とそれぞれ定義される矩形体の介護ベッドのベッドフレームと、
ベッドフレームに内設される省力化駆動装置と、
省力化駆動装置の上方に設置されるベッドボード装置と、
省力化駆動装置とベッドボード装置との間に設置される排泄装置と、
ベッドフレームの前側の外フレームに設置される駆動機構と、
第一押上ロッドと、
第二押上ロッドと、を備える。
【００１０】
省力化駆動装置は、
底部が第一縦シャフトに連結される背部ブラケットを有し、第一縦シャフトには第一クランクが設置され、両側が第一シャフトシートによりベッドフレームの外フレームの間に枢設される背部可動支持部材と、
底部が第二縦シャフト連結される平行する２本の横リンクロッドを有し、第二縦シャフトには第二クランクが設置され、両側が第二シャフトシートによりベッドフレームのブラケットに枢設され、且つ横リンクロッドの中間位置は回転可能なピボット部として設けられ、また、横リンクロッドはピボット部の外側に複数の縦方向支持棒が設置される脚部可動支持部材と、
ベッドフレームの外フレームに設置される制御機構と、を更に備える。
【００１１】
制御機構は、
（１ａ）一端が第三シャフトシートを貫通し、且つ第一受動輪が設置される第一動力出力軸と、
（１ｂ）第一パイプに設置されると共に角度をつけて回転を行い、且つ第四シャフトシートに設置される第一駆動輪を連動させ、第一駆動輪は第一受動輪に相互に噛合され、自身の回転により第一動力出力軸を連動させることにより回転を行う第一ハンドクランクと、
（１ｃ）プレートにより外フレームに固定され、回転軸には第二駆動輪が設置されるモーターと、
（１ｄ）外フレームに設置され、第二駆動輪に相互に噛合される第二受動輪が設置され、第一動力出力軸に対応するように同軸線上に配置される第二動力出力軸と、
（１ｅ）第一動力出力軸と第二動力出力軸との間に軸方向に設置され、第一動力出力軸の端部に覆設される第一ケーシング及び第一バネを含み、且つ第一ケーシングは第一動力出力軸上で滑動を行い、第一ケーシングは第一バネとは反対にある他端に凹凸表面を有する第一接合用ケーシングが設置され、また、第二接合用ケーシングは第二動力出力軸の端部に連結され、且つ第一接合用ケーシングに相互に係合されると共に軸方向に分離状態を呈する第一クラッチと、
（１ｆ）第一クラッチの上方に設置され、第一ケーシングの上方に対してノブが設置され、ノブが回されることにより第一ケーシングが軸方向に移動し、第一接合用ケーシング及び第二接合用ケーシングが相互に係合または分離状態を呈するように制御されるパネルと、
（１ｇ）傘型歯車である第三駆動輪が縦軸の上端に設置されると共に、傘型歯車である第三受動輪が第三駆動輪に噛合され、縦軸の底端に設置される第四駆動輪を傘型歯車である第一動力出力軸の他端が貫通する第四シャフトシートと、を更に含む。
【００１２】
駆動機構は、
（２ａ）一端が第五シャフトシートを貫通し、且つ傘型歯車である第四受動輪が設置され、第四駆動輪に噛合され、他端が第六シャフトシートを貫通する第一駆動ロッドと、
（２ｂ）第一駆動ロッドにより第一駆動ロッドと同軸方向に駆動され、一端が第七シャフトシートを貫通し、他端が第八シャフトシート貫通する第二駆動ロッドと、
（２ｃ）第一駆動ロッドに設置され、第一駆動ロッドが貫通する第一台座を有すると共に、第一駆動ロッドは第一台座に第五駆動輪が内設され、第一台座には第一駆動ロッドに対して垂直になる第九シャフトシートが内設される第一駆動部と、
（２ｄ）第一駆動ロッドと第二駆動ロッドとの間に軸方向に設置され、第一駆動ロッド及び第二駆動ロッドが軸方向に結合されて連動するように制御させるか、或いは軸方向に分離状態を呈するように制御させるために用いられ、第一駆動ロッドの端部に連結される第三接合用ケーシングと、第二駆動ロッドの端部に覆設され、且つ第二駆動ロッド上で滑動を行う第二ケーシングと、第二ケーシングの端部に連結され、且つ第三接合用ケーシングに相互に係合されると共に軸方向に分離状態を呈する第四接合用ケーシングと、第二ケーシングに連結されるスライダーと、一端が第七シャフトシートの側辺に固定され、且つコアが第七シャフトシートから延出されてスライダーに連結されるガイドロープと、コアに覆設され、且つスライダー及び第二ケーシングに対する軸方向の推力を有し、第四接合用ケーシング及び第三接合用ケーシングが相互に係合されると共に軸方向に分離状態を呈するように制御される第二バネとを含む第二クラッチと、
（２ｅ）第二駆動ロッドに設置され、第二駆動ロッドが貫通する第二台座を有すると共に、第二駆動ロッドは第二台座に第六駆動輪が内設され、第二台座には第二駆動ロッドに対して垂直になる第十シャフトシートが内設される第二駆動部と、
（２ｆ）コアは操作レバーの底端に連結され、操作レバーによりコアが引っ張られ、第四接合用ケーシング及び第三接合用ケーシングが相互に係合されると共に軸方向に分離状態を呈するように制御されるガイドロープの他端が連結される位置決めブロックと、を更に備える。
【００１３】
第一押上ロッドは、第一駆動ロッドにより駆動され、第一押上ロッドの末端は背部可動支持部材の第一クランクに枢着され、第一押上ロッドの前端にはスレッドが内設され、第一スクリューは一部分が第一押上ロッドに進入させて螺合状態を呈し、第一スクリューの他の部分は第一駆動部の第一シャフトシートを貫通し、且つ第一スクリューの端部には第五駆動輪に相互に噛合される第五受動輪が設置され、第五駆動輪により第五受動輪が連動され、第一スクリューが駆動されて回転を行うことにより第一押上ロッドが線形移動を行い、背部可動支持部材が平らに横置される状態または傾斜角度をつけて起き上がった状態を呈するように連動される。
【００１４】
第二押上ロッドは、第二駆動ロッドにより連動され、第二押上ロッドの末端は脚部可動支持部材の第二クランクに枢着され、第二押上ロッドの前端にはスレッドが内設され、第二スクリューは一部分が第二押上ロッドに進入させて螺合状態を呈し、第二スクリューの他の部分は第二駆動部の第二シャフトシートを貫通し、且つ第二スクリューの端部には第六駆動輪に相互に噛合される第六受動輪が設置され、第六駆動輪により第六受動輪が連動され、第二スクリューが駆動されて回転を行うことにより第二押上ロッドが線形移動を行い、脚部可動支持部材が平らに横置される状態または下方に降下する状態を呈するように連動される。
【００１５】
また、ベッドボード装置は、
背部可動支持部材に設置される少なくとも１つの背部マットと、
ベッドフレームに設置され、中間部は人体の臀部に対応する位置に排出口が設けられ、排出口は前に向けて開口されるＵ字体を呈し、且つそのＵ字体の後側の中央線の位置に分割用スロットが形成されるマットレスと、
排出口の形状に適合し、分離状態を呈して排出口内に設置され、平坦状を呈し、且つ排泄時には取り外されるカバーと、
マットレスの中間箇所に配置されると共に脚部可動支持部材に設置され、脚部可動支持部材に追随して降下する複数の可動脚付きマットレスと、を更に具備する。
【００１６】
排泄装置は、マットレスの排出口の下方に配置されて排泄物を受け取るために使用される。
ベッドフレームの排出口の底部の両側に左右に対向し合う２つの滑溝が設けられており、排泄装置の両側には前述のベッドフレームの２つの滑溝に対応する位置に前から後に向けて嵌入されるフランジ体が形成される。
また、排出装置は、排出口の下方に配置され、排泄物を受け取るために使用される排泄物受容器と、ベッドフレームの底辺に設置される洗浄装置と、を更に含む。
【００１７】
洗浄装置は、
ベッドフレームに設置されると共に排出口の後側に位置され、且つ排出口に向けられるスプレーヘッドと、
ベッドフレームに分離可能に掛着され、上方にプレスヘッドが、また吐水口に水管に連結させるためのジョイントが設置され、水管の他端はスプレーヘッドに連結されており、プレスヘッドが下に押されると水がスプレーヘッドに送水される蓄水ボトルと、をさらに備える。
【００１８】
これにより、制御機構の第一クラッチは手動方式または電動方式が選択され、動力出力軸が回転を行うことにより第一駆動ロッドが連動されて回転を行い、第一押上ロッドが駆動されて線形移動を行い、背部可動支持部材が平らに横置される状態または傾斜角度をつけて起き上がった状態を呈するように連動される。
また、第二クラッチにより第二駆動ロッド及び第一駆動ロッドが軸方向に結合されて連動するように制御され、或いは軸方向に分離状態を呈するように制御される。
脚部可動支持部材が平らに横置される状態或いは下方に降下する状態を呈するように制御され、動力出力軸により背部可動支持部材及び脚部可動支持部材が同期して連動した動作を行う。
【００１９】
本考案は梃子の原理で構成される駆動装置を介護ベッドに使用するもので、省力特性及び使用上の利便性を有し、エネルギーの節約、及び快適性を向上させる。さらに、患者がベッド上で直接排便を行えるようになり、排便の利便性が向上して患者の負担が軽減され、介助がなくとも患者自身で排泄処理できる効果を達成する。
【図面の簡単な説明】
【００２０】
【図１Ａ】従来の介護ベッドを示す斜視図である。
【図１Ｂ】従来の介護ベッドを示す側面図である。
【図２Ａ】本考案の一実施形態による介護ベッドを示す傾斜図である。
【図２Ｂ】図２Ａを示す底部の斜視図である。
【図２Ｃ】本考案の一実施形態による、介護ベッドの背部が上げられ、脚部が下方に降下された状態を示す斜視図である。
【図２Ｄ】図２Ｃを示す底部の斜視図である。
【図２Ｅ】本考案の他の一実施形態による介護ベッドを示す底部の斜視図である。
【図２Ｆ】本考案の一実施形態による、排泄装置を示す分解図である。
【図２Ｇ】本考案の一実施形態による、排泄装置の使用状態を示す図である。
【図３Ａ】本考案の一実施形態による、駆動装置を示す斜視図である。
【図３Ｂ】本考案の一実施形態による、駆動装置を示す斜視図である。
【図３Ｃ】本考案の一実施形態による、駆動装置を示す底部の斜視図である。
【図４】本考案の一実施形態による、駆動装置の背部可動支持部材が上げられ、脚部可動支持部材が下方に降下された状態を示す図である。
【図５】本考案による駆動装置を示す平面図である。
【図６】本考案による駆動装置を示す左側面図である。
【図７】本考案による駆動装置を示す右側面図である。
【図８Ａ】本考案の一実施形態による、駆動装置を示す斜視図である。
【図８Ｂ】図８Ａにおける８Ｂを示す拡大図である。
【図８Ｃ】図８Ａにおける８Ｃを示す拡大図である。
【図８Ｄ】図８Ａにおける８Ｄを示す拡大図である。
【図８Ｅ】図８Ａにおける８Ｅを示す拡大図である。
【図９Ａ】本考案の一実施形態による、駆動装置の構成を示す底部の斜視図である。
【図９Ｂ】図９Ａにおける９Ｂを示す拡大図である。
【図９Ｃ】図９Ａにおける９Ｃを示す拡大図である。
【図９Ｄ】図９Ａにおける９Ｄを示す拡大図である。
【図１０Ａ】本考案の一実施形態による、駆動装置を示す平面図である。
【図１０Ｂ】図１０Ａにおける１０Ｂを示す拡大図である。
【図１０Ｃ】図１０Ｂに示すクラッチが分離された状態を示す図である。
【図１１】本考案の一実施形態による、介護ベッドの使用状態を示す斜視図である。
【図１２】本考案の一実施形態による、介護ベッドの使用状態を示す側面図である。
【図１３】本考案の一実施形態による、介護ベッドの左側を起き上がらせた状態を示す寝返りの概略図である。
【図１４】本考案の一実施形態による、介護ベッドの右側を起き上がらせた状態を示す寝返りの概略図である。
【考案を実施するための形態】
【００２１】
以下、本考案の一実施形態に基づいて詳細に説明する。尚、以下に説明する実施の形態は、実用新案登録請求の範囲に記載された本考案の内容を限定するものではない。また、以下に説明される構成の全てが、本考案の必須要件であるとは限らない。
【００２２】
（一実施形態）
まず、図２Ａ〜１５を参照しながら、本考案の座った姿勢で排泄可能な介護ベッド３００をさらに詳しく説明する。本考案の座った姿勢で排泄可能な介護ベッド３００は、外フレーム１１及び外フレーム１１の間に連結される複数のブラケット１２で構成され、以下の実施形態において長手方向が「横方向」と、短手方向が「縦方向」とそれぞれ定義される矩形体の介護ベッドのベッドフレーム１０と、ベッドフレーム１０に内設される省力化駆動装置９０と、省力化駆動装置９０の上方に設置されるベッドボード装置１００と、省力化駆動装置９０とベッドボード装置１００との間に設置される排泄装置２００と、を備える。
【００２３】
また、介護ベッドの省力化駆動装置９０は、以下の部材を備える。
背部可動支持部材２０は背部ブラケット２１を備え、背部ブラケット２１の底部は第一縦シャフト２２に連結され、第一縦シャフト２２には第一クランク２３が設置される。第一縦シャフト２２の両側は第一シャフトシート２４によりベッドフレーム１０の外フレーム１１の間に枢設される。
【００２４】
脚部可動支持部材３０は平行する２本の横リンクロッド３１を備える。横リンクロッド３１の底部は第二縦シャフト３２に連結され、第二縦シャフト３２には第二クランク３３が設置され、両側は第二シャフトシート３４によりベッドフレーム１０のブラケット１２に枢設される。また、横リンクロッド３１の中間位置は回転可能なピボット部３１１として設けられる。横リンクロッド３１はピボット部３１１の外側に複数の縦方向支持棒３１２が設置される。ピボット部３１１の機能は横リンクロッド３１が下降した際に、図４に示すように、屈折形態を呈し、縦方向支持棒３１２にはパッド体が装設される（図４に図示せず、屈折形態、パッド体については図１１及び図１２の３０ａ参照）。
【００２５】
制御機構４０はベッドフレーム１０の外フレーム１１に設置される。
また制御機構４０は、図８Ｂ及び図９Ｂに示すように、一端が第三シャフトシート４２ａを貫通し、且つ第一受動輪４１１が設置される第一動力出力軸４１と、第一パイプ４３１に設置されると共に３６０度回転可能であり、且つ第四シャフトシート４３３に設置される第一駆動輪４３２を連動させ、第一駆動輪４３２は第一受動輪４１１に相互に噛合される第一ハンドクランク４３であって、ハンドクランク４３の回転により第一動力出力軸４１が連動されて回転を行う。
また制御機構４０は、ボード４４２により外フレーム１１に固定され、回転軸には第二駆動輪４４１が設置されるモーター４４と、外フレーム１１に設置され、第二駆動輪４４１に相互に噛合される第二受動輪４５１が設置される第二動力出力軸４５であって、第二動力出力軸４５は第一動力出力軸４１に対応するように同軸線上に位置される。
また制御機構４０は、第一動力出力軸４１と第二動力出力軸４５との間に軸方向に設置され、第一ケーシング４６１及び第一動力出力軸４１の端部に覆設される第一バネ４６２からなり、且つ第一ケーシング４６１は第一動力出力軸４１上で滑動を行い、第一ケーシング４６１は第一バネ４６２とは反対にある他端に凹凸表面を有する第一接合用ケーシング４６３が設置され、また、第二接合用ケーシング４６４は第二動力出力軸４５の端部に連結され、且つ第一接合用ケーシング４６３に相互に係合されると共に軸方向に分離状態を呈する第一クラッチ４６を備える。
また制御機構４０は、第一クラッチ４６の上方に設置され、第一ケーシング４６１の上方に対してノブ４７１が設置され、ノブ４７１が回されることにより第一ケーシング４６１が軸方向に移動し、第一接合用ケーシング４６３及び第二接合用ケーシング４６４が相互に係合または分離状態を呈するように制御されるパネル４７を備える。
また制御機構４０は、図８Ｃ及び図９Ｃに示すように、傘型歯車である第三駆動輪４１２が設置され、同じく傘型歯車である第三受動輪４８１が縦軸４８の上端に設置されると共に第三駆動輪４１２に噛合され、縦軸４８の底端に設置される第四駆動輪４８２は傘型歯車である第一動力出力軸４１の他端が貫通する第四シャフトシート４２ｂを備える。
【００２６】
駆動機構５０はベッドフレーム１０の前側の外フレーム１１に設置される。
また駆動機構５０は、一端が第五シャフトシート５２ａを貫通し、且つ傘型歯車である第四受動輪５１１が設置され、第四駆動輪４８２に噛合され、他端が第六シャフトシート５２ｂを貫通する第一駆動ロッド５１ａを備える。
また駆動機構５０は、図８Ｄ及び図９Ｄに示すように、第一駆動ロッド５１ａにより第一駆動ロッド５１ａと同軸方向に駆動され、一端が第七シャフトシート５６ａを貫通し、他端が第八シャフトシート５６ｂを貫通する第二駆動ロッド５１ｂを備える。
また駆動機構５０は、第一駆動ロッド５１ａに設置され、第一駆動ロッド５１ａが貫通する第一台座５３１を有し、且つ第一駆動ロッド５１ａは第一台座５３１に第五駆動輪５１２が内設され、一台座５３１に第一駆動ロッド５１ａに対して垂直になる第九シャフトシート５３２が内設される第一駆動部５３を備える（図８Ｃ及び図９Ｃ参照）。
また駆動機構５０は、第一駆動ロッド５１ａと第二駆動ロッド５１ｂとの間に軸方向に設置され、第一駆動ロッド５１ａ及び第二駆動ロッド５１ｂが軸方向に結合されて連動するように制御させるか、或いは軸方向に分離状態を呈するように制御させるために用いられる第二クラッチ５４であって、図１０Ｂ及び図１０Ｃに示すように、第二クラッチ５４が第一駆動ロッド５１ａの端部に連結される第三接合用ケーシング５４１と、第二駆動ロッド５１ｂの端部に覆設され、且つ第二駆動ロッド５１ｂ上で滑動を行う第二ケーシング５４３と、第二ケーシング５４３の端部に連結され、且つ第三接合用ケーシング５４１に相互に係合されると共に軸方向に分離状態を呈する第四接合用ケーシング５４２と、第二ケーシング５４３に連結されるスライダー５４４と、一端が第七シャフトシート５６ａの側辺５６１に固定され、且つコア５７１が第七シャフトシート５６ａから延出されてスライダー５４４に連結されるガイドロープ５７と、コア５７１に覆設され、且つスライダー５４４及び第二ケーシング５４３に対する軸方向の推力を有し、第四接合用ケーシング５４２及び第三接合用ケーシング５４１が相互に係合されると共に軸方向に分離状態を呈するように制御される第二バネ５４５とを含む。
また駆動機構５０は、図８Ｄ及び図９Ｄに示すように、第二駆動ロッド５１ｂに設置され、第二駆動ロッド５１ｂが貫通する第二台座５５１を有し、且つ第二駆動ロッド５１ｂは第二台座５５１に第六駆動輪５１３が内設され、第二台座５５１に第二駆動ロッド５１ｂに垂直になる第十シャフトシート５５２が内設される第二駆動部５５と、図８Ｅに示すように、コア５７１は操作レバー５８の底端に連結され、操作レバー５８によりコア５７１が引っ張られ、第四接合用ケーシング５４２及び第三接合用ケーシング５４１が相互に係合されると共に軸方向に分離状態を呈するように制御されるガイドロープ５７の他端が連結される位置決めブロック５７２と、を備える。
【００２７】
本実施形態では、操作レバー５８の中間位置はシャフトボルト５８１が縦方向に貫通し、操作レバー５８がシャフトボルト５８１を軸心として前後に傾動を行うことによりコア５７１が引かれ、第二クラッチ５４が制御されて係合或いは軸方向に分離状態を呈する。
また、位置決めプレート５９はベッドフレーム１０の外フレーム１１の表面に固定され、位置決めプレート５９には操作レバー５８の上端部を突出させるためのＬ字型溝５９１が設けられ、且つＬ字型溝５９１内で移動または係止されての定位を行う。
【００２８】
第一押上ロッド６０は、図８Ｃ及び図９Ｃに示すように、第一駆動ロッド５１ａにより駆動され、第一押上ロッド６０の末端６４は背部可動支持部材２０の第一クランク２３に枢着され、前端にはスレッド６３が内設される。
第一スクリュー６１は一部分が第一押上ロッド６０に進入させて螺合状態を呈し、第一スクリュー６１の他の部分は第一駆動部５３の第一シャフトシート５３２を貫通し、且つ第一スクリュー６１の端部には第五駆動輪５１２に相互に噛合される第五受動輪６２が設置される。
第五駆動輪５１２により第五受動輪６２が連動され、第一スクリュー６１が駆動されて回転を行うことにより第一押上ロッド６０が線形移動を行い、背部可動支持部材２０が平らに横置される状態（図２Ａ参照）または傾斜角度をつけて起き上がった状態（図４参照）を呈するように連動される。
【００２９】
第二押上ロッド７０は、図８Ｄ及び図９Ｄに示すように、第二駆動ロッド５１ｂにより駆動され、第二押上ロッド７０の末端７４は脚部可動支持部材３０の第二クランク３３に枢着され、前端にはスレッド７３が内設される。
第二スクリュー７１は一部分が第二押上ロッド７０に進入させて螺合状態を呈し、他の部分は第二駆動部５５の第二シャフトシート５５２を貫通し、且つ端部には第六駆動輪５１３に相互に噛合される第六受動輪７２が設置される。
第六駆動輪５１３により第六受動輪７２が連動され、第二スクリュー７１が駆動されて回転を行うことにより第二押上ロッド７０が線形移動を行い、脚部可動支持部材３０が平らに横置される状態（図２Ａ参照）または下方に降下する状態（図４参照）を呈するように連動される。
【００３０】
これにより、制御機構４０は第一クラッチ４６が手動方式または電動方式が選択され、第一動力出力軸４１が回転を行うことにより第一駆動ロッド５１ａが連動されて回転を行い、第一押上ロッド６０が駆動されて線形移動を行い、背部可動支持部材２０が平らに横置される状態または傾斜角度をつけて起き上がった状態を呈するように連動される。
また、第二クラッチ５４により第二駆動ロッド５１ｂ及び第一駆動ロッド５１ａが軸方向に結合されて連動するように制御され、或いは軸方向に分離状態を呈するように制御され、また脚部可動支持部材３０が平らに横置される状態または下方に降下する状態を呈するように制御され、１つの第一動力出力軸４１により背部可動支持部材２０及び脚部可動支持部材３０が同期して連動した動作を行う。
【００３１】
本考案はベッドフレーム１０に縦方向に設置され、且つ背部可動支持部材２０の位置に近接させる寝返り支持機構８０を更に備える（図８Ａ及び図９Ａ参照）。
寝返り支持機構は、スレッドが内設される第三押上ロッド８１と、第三押上ロッド８１に進入させて螺合状態を呈し、且つ一部分が第三押上ロッド８１から延出される第三スクリュー８２と、両側が第十一シャフトシート８９によりベッドフレーム１０のブラケット１２に枢設される横ロッド８３と、横ロッド８３に垂直に設置されて横ロッド８３により連動され、左または右に向けて傾動を行い、且つ複数の案内輪が設置される縦ロッド８４と、を備える。
また寝返り支持機構は、第二パイプ８６に設置されると共に３６０度回転可能であり、且つ第三押上ロッド８１内の第三スクリュー８２に設置されると共に第三スクリュー８２を連動させて回転を行わせ、第三押上ロッド８１に対して線形移動を行う第二ハンドクランク８７と、上端が横ロッド８３に固定され、底端が第三スクリュー８２の外端部に枢着されると共に第三スクリュー８２により制動され、横ロッド８３の回転を制御させるために用いられ、縦ロッド８４が傾動を行うように制御させる第三クランク８８と、を備える。
本実施形態では、縦ロッド８４の両端には案内輪８５が設置され、縦ロッド８４が傾動を行う場合、両端に設置される案内輪８５により、ベッドボードまたはベッドマットで構成される背部マット２０Ａ（図１１参照）が持ち上がり、患者が身体を起こすのを補助し、省力化効果を発揮する。
【００３２】
以上が省力化駆動装置９０の詳細な構造についての説明である。続いて、ベッドボード装置１００について説明する。
ベッドボード装置１００は、図２Ａ乃至図２Ｄに示すように、背部可動支持部材２０に設置される少なくとも１つの背部マット１０１と、ベッドフレーム１０に設置されるマットレス１０２であって、マットレス１０２の中間部には人体の臀部に対応する位置に排出口１０３が設けられ、マットレス１０２の排出口１０３は前に向けて開口されるＵ字体を呈し、且つマットレス１０２はＵ字体の後側の中央線の位置に分割用スロット１０４が形成される。
またベッドボード装置１００は、排出口１０３の形状に適合するカバー１０５であって、カバー１０５は分離状態を呈して排出口１０３内に設置され、カバー１０５が平坦状を呈し、且つ排泄時には取り外される。
またベッドボード装置１００は、マットレス１０２の中間箇所に位置されると共に脚部可動支持部材３０に設置されて脚部可動支持部材３０に追随して降下する複数の可動脚付きマットレス１０６と、を備える。
なお、本考案に係る座った姿勢で排泄可能な介護ベッド３００は、ベッドフレーム１０の底部に設置されるキャスター支持部１０７、及び周囲に設置される把手１０８等の一般的な介護ベッドに必要な設備を更に備えるが、その詳述は省く。
図２Ｅに示すように、背部可動支持部材２０の背部にはファン２５が装設できる。これは、背部マット１０１が通風型の実施形態で設置されたときに、背部マット１０１に対して送風を行うものである。
【００３３】
続いて、排泄装置２００について説明する。
排泄装置２００は、図２Ｆ乃至図２Ｇに示すように、マットレス１０２の排出口１０３の下方に位置されて排泄物を受け取るために用いられる。また、ベッドフレーム１０の排出口１０３の底部の両側に左右に対向し合う２つの滑溝２１１が設けられ（図２Ｄ参照）、排泄装置２００の両側には前述の滑溝２１１に対応する位置にフランジ体２１２が形成され、前から後に向けて滑溝２１１に嵌入される。また排泄装置２００は、排出口１０３の下方に配置され、排泄物を受け取るために使用される排泄物受容器２１０を、更に備える。
【００３４】
続いて、洗浄装置２２０について説明する。
洗浄装置２２０は、図２Ｇに示すように、ベッドフレーム１０の底辺に設置されると共に排出口１０３の後側に配置され、排出口１０３に向けられるスプレーヘッド２２５と、ベッドフレーム１０に分離可能に掛着され、上方にプレスヘッド２２２が設置される蓄水ボトル２２１と、を備える。
蓄水ボトル２２１の吐水口には、水管２２４に連結させるためのジョイント２２３が設置され、水管２２４の他端はスプレーヘッド２２５に連結される。プレスヘッド２２２が下に押されると、蓄水ボトル２２１の水がスプレーヘッド２２５に送水される。
本実施形態では、蓄水ボトル２２１はベッドフレーム１０の底側辺のプレート２２６に設置され（図２Ｄ参照）、水管２２４は排出口１０３の側辺を巻回させ、排出口１０３の後側に到った後にスプレーヘッド２２５に連結される。
【００３５】
上述したように、本考案は拭き取り装置２３０を更に備える。
拭き取り装置２３０は、グリップ部２３１と、グリップ部２３１から前に向けて延伸される上部ポール２３２と、上部ポール２３２の前端に設けられる挟着部２３３と、グリップ部２３１から前に向けて延伸されると共に上部ポール２３２の底部に平行するように配置される下部ポール２３４と、を含む。
下部ポール２３４の自由端はベッドフレーム１０のブッシング２３６を貫通し、上部ポール２３２及び挟着部２３３が排出口１０３中で下部ポール２３４によりブッシング２３６上で前後移動を行い、拭き取り装置２３０が挟着部２３３によりトイレットペーパー２３５を挟着させ、前後移動を行うことにより使用者の臀部の拭き取りを行う。
【００３６】
図１１は本考案の使用状態を示す傾斜図である。
把手１０８にはディナープレート１０９が装設されるが、本考案の使用には差し障りない。図１２は患者の座った姿勢を呈する概略図である。本考案は上述の技術的特徴により、患者がベッドに寝た状態から座った姿勢に移行して直接排泄を行えるようにすることで以下の効果を発揮する。
【００３７】
まず、本考案では従来のベッドまたは介護ベッドの空気圧シリンダーによる直接駆動方式を廃する。
これは、直接駆動方式により背部可動ボード１３１及び脚部可動ボード１３３を持ち上げる場合、多くのパワー及び電力が必要なためであり、また、駆動部材１３３ａが脚部可動ボード１３３の底部に設置されるため、脚部可動ボード１３３が上方向にのみ持ち上げられ、下方に降下させることができないためである。
図１Ｂに示す使用形態では、患者が排泄用穴１３２ａを利用して排泄を行う場合、腿を上げねばならないが、このような姿勢は適当とは言えず、また快適でもない。
翻って本考案では、梃子の原理を利用し、入力された力を増幅させ、より大きな力を出力させる。梃子の機械的利益は出力される力と入力される力との比率であるから、よって本考案は「梃子作用」機能を有する。
これにより、本考案では第一ハンドクランク４３を手で回転させるのみで第一動力出力軸４１により駆動機構５０が連動され、駆動機構５０により第一押上ロッド６０及び第二押上ロッド７０がそれぞれ駆動され、第一押上ロッド６０により背部可動支持部材２０が平らに横置される状態または傾斜角度をつけて起き上がった状態を呈するように連動される。
また、第二押上ロッド７０により脚部可動支持部材３０が平らに横置される状態または下方に降下する状態を呈するように同期して連動される。
このような梃子の原理を使用した駆動方式により、省力で使用可能になるという特性を有するため、便利であり、エネルギーの節約効果がある。
【００３８】
さらに、本考案は、制御機構４０の第一クラッチ４６を利用して第一ハンドクランク４３を手動で操作させるか、或いはモーター４４により第一動力出力軸４１を駆動させて駆動機構５０を連動させるかを選択可能である。よって、本考案は手動でも電動でも操作可能であるという二重の効果を有する。
【００３９】
なお、本考案は駆動機構５０の第二クラッチ５４により第一駆動ロッド５１ａ及び第二駆動ロッド５１ｂが軸方向に結合されて連動するように制御させるか、または軸方向に分離状態を呈するように制御させる。
すなわち、第一動力出力軸４１により駆動機構５０が連動されるとき、本考案は第二駆動ロッド５１ｂを第一駆動ロッド５１ａと同期して作動させるか否かを選択可能であり、脚部可動支持部材３０を背部可動支持部材２０と一緒に連動させるか選択可能である。
よって、本考案は患者の必要に応じて駆動機構５０の作動位置を制御可能である。
【００４０】
そこで、本考案は上述の省力化駆動装置により介護ベッドに使用されると省力特性を発揮し、使用上の利便性、エネルギーの節約効果、及び快適性を達成させる。これにより、患者がベッド上で直接排便を行えるようになり、患者の負担が軽減し、利便性が向上し、介助がなくとも患者が自分で処理可能になる。
【００４１】
以上の実施形態は本考案の技術思想及び特徴を説明するためのものにすぎず、当該技術分野を熟知する者に、本考案の内容を理解させ、実施させることを目的とし、本考案の実用新案登録請求の範囲を限定するものではない。従って、本考案の趣旨を逸脱せずに行う各種の同様の効果をもつ改良又は変更は、実用新案登録請求の範囲に含まれるものとする。
【符号の説明】
【００４２】
１０    ベッドフレーム
１１    外フレーム
１２    ブラケット
２０    背部可動支持部材
２１    背部ブラケット
２２    第一縦シャフト
２３    第一クランク
２４    第一シャフトシート
３０    脚部可動支持部材
３１    横リンクロッド
３１１  ピボット部
３１２  支持棒
３２    第二縦シャフト
３３    第二クランク
３４    第二シャフトシート
４０    制御機構
４１    第一動力出力軸
４１１  第一受動輪
４１２  第三駆動輪
４２ａ  第三シャフトシート
４２ｂ  第四シャフトシート
４３    ハンドクランク
４３１  第一パイプ
４３２  第一駆動輪
４３３  第四シャフトシート
４４    モーター
４４１  第二駆動輪
４４２  ボード
４５    第二動力出力軸
４５１  第二受動輪
４６    第一クラッチ
４６１  第一ケーシング
４６２  第一バネ
４６３  第一接合用ケーシング
４６４  第二接合用ケーシング
４７    パネル
４７１  ノブ
４８    縦軸
４８１  第三受動輪
４８２  第四駆動輪
５０    駆動機構
５１ａ  第一駆動ロッド
５１ｂ  第二駆動ロッド
５１１  第四受動輪
５１２  第五駆動輪
５１３  第六駆動輪
５２ａ  第五シャフトシート
５２ｂ  第六シャフトシート
５３    第一駆動部
５３１  第一台座
５３２  第九シャフトシート
５４    第二クラッチ
５４１  第三接合用ケーシング
５４２  第四接合用ケーシング
５４３  第二ケーシング
５４４  スライダー
５４５  第二バネ
５５    第二駆動部
５５１  第二台座
５５２  第十シャフトシート
５６ａ  第七シャフトシート
５６ｂ  第八シャフトシート
５６１  側辺
５７    ガイドロープ
５７１  コア
５７２  位置決めブロック
５８    操作レバー
５８１  シャフトボルト
５９    位置決めプレート
５９１  Ｌ字型溝
６０    第一押上ロッド
６１    第一スクリュー
６２    第五受動輪
６３    第一スレッド
６４    末端
７０    第二押上ロッド
７１    第二スクリュー
７２    第六受動輪
７３    第二スレッド
７４    末端
８０    寝返り支持機構
８１    第三押上ロッド
８２    第三スクリュー
８４    縦ロッド
８５    案内輪
８６    第二パイプ
８７    第二ハンドクランク
８８    第三クランク
８９    第十一シャフトシート
９０    駆動装置
１００  ベッドボード装置
１０１  背部マット
１０２  マットレス
１０３  排出口
１０４  分割用スロット
１０５  カバー
１０６  可動脚付きマットレス
１０７  キャスター支持部
１０８  把手
１０９  ディナープレート
２００  排泄装置
２１０  排泄物受容器
２１１  滑溝
２２０  洗浄装置
２２１  蓄水ボトル
２２２  プレスヘッド
２２３  ジョイント
２２４  水管
２２５  スプレーヘッド
２２６  プレート
２３０  拭き取り装置
２３１  グリップ部
２３３  挟着部
２３４  下部ポール
２３５  トイレットペーパー
２３６  ブッシング
３００  介護ベッド
【図１Ａ】
0003216660.tif 000003
【図１Ｂ】
0003216660.tif 000004
【図２Ａ】
0003216660.tif 000005
【図２Ｂ】
0003216660.tif 000006
【図２Ｃ】
0003216660.tif 000007
【図２Ｄ】
0003216660.tif 000008
【図２Ｅ】
0003216660.tif 000009
【図２Ｆ】
0003216660.tif 000010
【図２Ｇ】
0003216660.tif 000011
【図３Ａ】
0003216660.tif 000012
【図３Ｂ】
0003216660.tif 000013
【図３Ｃ】
0003216660.tif 000014
【図４】
0003216660.tif 000015
【図５】
0003216660.tif 000016
【図６】
0003216660.tif 000017
【図７】
0003216660.tif 000018
【図８Ａ】
0003216660.tif 000019
【図８Ｂ】
0003216660.tif 000020
【図８Ｃ】
0003216660.tif 000021
【図８Ｄ】
0003216660.tif 000022
【図８Ｅ】
0003216660.tif 000023
【図９Ａ】
0003216660.tif 000024
【図９Ｂ】
0003216660.tif 000025
【図９Ｃ】
0003216660.tif 000026
【図９Ｄ】
0003216660.tif 000027
【図１０Ａ】
0003216660.tif 000028
【図１０Ｂ】
0003216660.tif 000029
【図１０Ｃ】
0003216660.tif 000030
【図１１】
0003216660.tif 000031
【図１２】
0003216660.tif 000032
【図１３】
0003216660.tif 000033
【図１４】
0003216660.tif 000034